(57)【要約】【課題】赤外線通信によりコードレスで音声や映像信号を多数のモニタディスプレイに送信し、映像や音声を配信することができる、講演会等に適した赤外線映像伝送システムを提供する。【解決手段】講演者側から出力される音声信号と画像信号とを受け入れて、これらの信号に対応する多重化された赤外光を発信するラジエータ２５と、聴講者側から発信された赤外光を受信してマイク応答信号を得るマイク受信復調装置３６と、アンケート信号を収集するアンケート収集装置３１とを備えた講演者側装置がある。また、赤外光を受信する受光器４２と、受信した赤外光からの画像を表示するモニタディスプレイ６４と、受信した赤外光からの音声信号を再生するレシーバ６５と、聴講者の音声を入力したマイク５２の出力信号と、聴講者の操作するテンキー５３の出力信号に対応する多重化された赤外光を発信する発光器４１とを備えた受講者側装置がある。【選択図】        図１
2004312214.tif 000002
【特許請求の範囲】
【請求項１】
講演者側のマイクから出力される音声信号とプレゼンテーション用の機器から出力される画像信号とを受け入れて、これらの信号に対応する多重化された赤外光を発信するラジエータと、
聴講者側から発信された赤外光を受信して、マイク応答信号を得るマイク受信復調装置と、
アンケート信号を収集するアンケート収集装置とを備えたことを特徴とする赤外線映像伝送システムの講演者側装置。
【請求項２】
赤外光を受信する受光器と、
受信した赤外光から取り出した画像信号による画像を表示するモニタディスプレイと、
受信した赤外光から取り出した音声信号を再生するレシーバと、
聴講者の音声を入力したマイクの出力信号と聴講者の操作するテンキーの出力信号とを受け入れて、これらの出力信号に対応する多重化された赤外光を発信する発光器とを備えたことを特徴とする赤外線映像伝送システムの受講者側装置。
【発明の詳細な説明】
【０００１】
【発明の属する技術分野】
本発明は、講演会等の会場で、聴講者の受信機に対し、音声や映像信号を送信する赤外線映像伝送システムの講演者側装置と受講者側装置に関する。
【０００２】
【従来の技術】
映像機器などの高機能化に伴い、講演会などで、パーソナルコンピュータやビデオプロジェクタ等のプレゼンテーション用機器を用いた講演が一般的になっている。学校等の教育機関では、教室に、テレビジョンモニタ、パーソナルコンピュータ等のＡＶ機器を配置して、ネットワークを利用した教材の配信等も行われている（特許文献１参照）。
【０００３】
【特許文献１】
特開２００３−６９９３０号公報
【０００４】
【発明が解決しようとする課題】
ところで、上記のような従来の技術には、次のような解決すべき課題があった。
講演会などでビデオプロジェクタを用いた講演は、演壇に設備を集中させればよく、機能的で比較的コストも安くなるが、会場の内部で、場所によって音が聞こえ難かったり、あるいは、ビデオプロジェクタによって映し出されたスクリーン上の映像が見にくくなるという問題がある。部屋を暗くしてスクリーンを見やすくすると、手元の資料を読むための光量が不足するといったことは誰もが経験する。一方、聴講者一人一人の目の前や、できるだけ近くに、多数のディスプレイを配置することが考えられるが、多量の配線を行うためにコスト高になるという問題があった。
本発明は、以上の点に着目してなされたもので、赤外線通信によりコードレスで音声や映像信号を多数のモニタディスプレイに送信し、映像や音声を配信することができる、講演会等に適した赤外線映像伝送システムの講演者側装置と受講者側装置を提供することを目的とする。
【０００５】
【課題を解決するための手段】
本発明は次の構成により上記の課題を解決する。
〈構成１〉
講演者側のマイクから出力される音声信号とプレゼンテーション用の機器から出力される画像信号とを受け入れて、これらの信号に対応する多重化された赤外光を発信するラジエータと、聴講者側から発信された赤外光を受信して、マイク応答信号を得るマイク受信復調装置と、アンケート信号を収集するアンケート収集装置とを備えたことを特徴とする赤外線映像伝送システムの講演者側装置。
【０００６】
〈構成２〉
赤外光を受信する受光器と、受信した赤外光から取り出した画像信号による画像を表示するモニタディスプレイと、受信した赤外光から取り出した音声信号を再生するレシーバと、聴講者の音声を入力したマイクの出力信号と聴講者の操作するテンキーの出力信号とを受け入れて、これらの出力信号に対応する多重化された赤外光を発信する発光器とを備えたことを特徴とする赤外線映像伝送システムの受講者側装置。
【０００７】
【発明の実施の形態】
以下、本発明の実施の形態を、具体例を用いて説明する。
図１は、赤外線映像伝送システムの具体例を示すブロック図である。
ここでは、本システムを学会発表のプレゼンテーション用として利用する例をもって説明する。図１のシステムで、プレゼンタ（講演者）は、パーソナルコンピュータ２１にプレゼンンテーション用の画像を映しながら、その画像を各聴講者の机の前にあるモニタディスプレイに表示させる。ラジエータコントローラ１０とラジエータ２５とは、コードレスで映像信号をモニタディスプレイに送信するためのものである。
【０００８】
ラジエータコントローラ１０の入力側には、マイク１１、マイクアンプ１２、通訳音源等１３、ＡＶセレクタ１６などが接続されている。マイク１１は講演者の声を受け入れる。マイクアンプ１２はマイク１１の出力信号を増幅してラジエータコントローラ１０に入力するためのものである。通訳音源等１３は、それぞれ図示しない同時通訳の使用するマイク等に接続されている。ＡＶセレクタ１６には、ビデオカメラ１７、ＤＶＤ１８、ＶＴＲ１９、ＲＧＢ変換器２０などのＡＶ機器が接続されている。ＡＶセレクタ１６は、入力側に接続されたビデオカメラ１７やＤＶＤ１８、ＶＴＲ１９などのＡＶ機器のいずれかを選択して、その出力信号をラジエータコントローラ１０に入力する機能を持つ。
【０００９】
ビデオカメラは、講演者が任意の資料を撮影して紹介するために利用される。ＲＧＢ変換器２０は、パーソナルコンピュータ２１の出力するＲＧＢ信号を、例えば、ＮＴＳＣ方式のカラーテレビ信号に変換して、ラジエータコントローラ１０に送り込むための信号変換器である。プロジェクタ２２は、パーソナルコンピュータ２１のディスプレイに映し出された画像を図示しないスクリーン上に表示するための装置である。
【００１０】
講演者の声や、パーソナルコンピュータ２１に表示された画像や、その他のＡＶ機器の出力する信号が、ラジエータコントローラ１０に入力されると、多重化されて、ラジエータ２５によって赤外線信号に変換され、聴講者側に送信される。ラジエータコントローラ１０では、各入力信号をそれぞれＦＭ変調して赤外線送出用の発光ダイオードを駆動する。このシステムでは、実用上、６〜８チャンネル程度の周波数多重化ができるように設計をしておくことが好ましい。受信側では、マイクやいずれかの通訳音源から出力された音声信号と、ＡＶセレクタで選択された映像信号を受信して復調すればよい。このシステムは、講演者から聴講者側に一方的に情報を送信するだけでなく、聴講者から講演者側に、声やデータを返信することができる。聴講者から送信された音声信号は、マイク受信機３５により受信される。また、聴講者から送信されたアンケート用のデータは、アンケート受信機３０により受信される。
【００１１】
アンケート受信機３０の出力の信号は、アンケート収集装置３１によって集計され、その結果がパーソナルコンピュータ２１に表示される。例えば、アンケートの問いに対して、「イエス」、あるいは、「ノー」という答えがアンケート受信機３０で受信されると、「イエス」の数と「ノー」の数をカウントした結果が、パーソナルコンピュータ２１のディスプレイに表示される。アンケート収集装置３１は、多数のアンケート受信機３０の出力信号を内部メモリに記憶して、要求に応じてパーソナルコンピュータ２１に転送する機能を持つ。アンケート結果の解析処理は、パーソナルコンピュータ２１にインストールされたコンピュータプログラムが実行する。マイク受信機３５の出力信号はマイク受信復調装置３６に入力する。復調されたマイク応答信号は、講演者の近くに配置されたスピーカ３７を駆動する。なお、マイク応答信号を他の聴講者に伝えるために、マイク受信復調装置３６の出力信号は、ラジエータコントローラ１０に入力し、ラジエータ２５を通じて送信されるように構成されている。
【００１２】
図２は、図１に示したシステムの具体的な回路ブロック図である。
この図においては、図１に示した部分と同一部分には、同一符号を付した。図２において、ＯＨＰ（オーバーヘッドプロジェクタ）７や、スライド８は、よく知られた従来の手法によりプレゼンテーションを行うためのものである。ＯＨＰ７や、スライド８を使用する場合には、講演者の声だけがラジエータコントローラ１０から赤外線ラジエータ２５を通じて送信される。プロジェクタ２２は、講演者の近くに設けられたスクリーン３に講演の内容を示す画像を表示するために使用される。プレゼンタＰＣ（パーソナルコンピュータ）２１の出力するＲＧＢ信号は、ＲＧＢ変換器２０とＡＶセレクタ１６を介して、ラジエータコントローラ１０に送り込まれる。これが、赤外線ラジエータ２５を通じて聴講者の机上に設けられたディスプレイなどに表示される。
【００１３】
図３は、聴講者の手元にある受信器の具体的な構成を示す説明図である。
聴講者の机上には、図３に示すような赤外線送受信器４０とバッテリ４３、４４、４５とを一体化したスタンドが配置される。スタンダードバッテリ４３は標準装備される。追加バッテリ４４や４５は、消費電力に応じて必要な数だけ追加され、赤外線送受信器４０の下部に積み重ねられる。このスタンドは、それぞれ、数人の聴講者の、間にある机上に配置され、バッテリ駆動のため、コードレスで配線は要らない。各スタンドには、モニタディスプレイ６４やマイク５２やヘッドホーン等のレシーバ６５を取り付けたテンキー５３が、２〜３組ずつ接続されている。これらの接続は、ケーブルを用いている。モニタディスプレイ６４は、赤外線送受信機４０で受信した映像信号を復元して表示する。レシーバ６５は、赤外線送受信機４０で受信した音声信号を復元して出力する。
【００１４】
テンキー５３は、アンケートなどの要求があった場合に、聴講者が数値を入力して送信をするためのキーボードである。マイク５２は、聴講者が自己の意見を講演者に伝えるために使用される。こうしたモニタディスプレイ６４やテンキー５３等を、一つのスタンドに数組ずつ接続すれば、講演会場全体に複雑な配線が不要になる。また、聴講者の人数等に応じて適宜増減できるし、全くＡＶ機器の設備の無い講演会場でも、システムを簡単に構築できるという効果がある。
【００１５】
図４は、聴講者の手元にある受信器の具体的な回路ブロック図である。
赤外線送受信器４０は、発光器４１と受光器４２とから構成される。発光器４１には、多重化した赤外線を発射するために必要な数のＬＥＤ（発光ダイオード）が取り付けられている。これらの発光ダイオードは、送信装置５１により駆動される。また、受光器４２は、赤外線を受信した時、その赤外線の強度に応じた出力信号を取り出すことができる受光素子である。その出力信号は、受信装置６１に送り込まれる。送信ユニット５０は、マイク５２やテンキー５３の出力を送信装置５１に送り込むよう構成されている。送信装置５１は、音声信号を受け入れてＦＭ変調し、発光素子を駆動する。また、送信装置５１は、テンキー５３から入力された信号をデコードし、ＦＭ変調して、発光器４１を駆動する。こうして、聴講者の声やアンケートの結果が講演者側に送信される。
【００１６】
また、例えば、講演者の声やプレゼンテーション用の画像は、図４の右側に示したラジエータコントローラ１０からラジエータ２５を経て、受光器４２で受信される。例えば、８チャンネル分の多重化には、８個のＬＥＤを使用する。もちろん、照射光が広角に多方向に発射されるように、１チャンネルでそれぞれ複数個のＬＥＤを使用するとさらによい。受信信号は、受信装置６１を経て、映像回路６２と音声回路６３に入力する。映像回路６２の出力は、モニタディスプレイ６４を駆動する。
【００１７】
これによって、任意の画像がモニタディスプレイ６４に表示される。また、音声回路６３の出力信号は、レシーバ６５に入力し、聴講者の耳に達する。受信装置６１からは、例えば、８チャンネル分の信号が出力されている。例えば、第１チャンネルはモニタディスプレイ用の信号、第２チャンネルは、レシーバ用の信号というようになる。講演において、日本語、英語、フランス語というように様々な外国語に翻訳された信号が送信されている時には、聴講者は希望するチャンネルを選択してその出力信号にレシーバを接続すればよい。
【００１８】
なお、図４の右側に示したように、ラジエータ２５には、赤外線送受信器４０に用いられたのと同様の発光器２９が組み込まれている。また、聴講者側の赤外線送受信器４０から送信されたマイクの音声信号やテンキーの入力信号は、赤外線送受信器４０に設けられたのと同様の受光器３８、３９により受信され、それぞれ、アンケート受信器３０やマイク受信器３５に伝送される。各送信機や受信機等は、例えば、燃料電池を小型化して組み込むといった方法により、電源線のコードレス化も可能である。
【００１９】
以上説明したシステムでは、音声信号や画像信号を多重化し、赤外線発光装置を駆動して送信する送信装置と、赤外線発光装置から送信された赤外線信号を受信して再生する多数の受信装置により、１対Ｎの映像伝送システムが得られる。しかも、簡単な応答を返信できる構成を含めたことにより、多角的な講演が可能になる。マイクやテンキーには、例えば、赤外線ＬＡＮに接続したネットワーク機器と同様に、ＩＰアドレスのような識別コードを付しておけば、講演者側で、聴講者からの応答を区別して受信することができる。また、赤外光による通信は室外では盗聴され難く、外部への妨害電波等を発生しない。一方、見通しの悪い部分は陰になるおそれがあることから、ラジエータは天井から吊り下げたり、聴講者側の赤外線送受信器は机上に配置するとよい。
【図面の簡単な説明】
【図１】赤外線映像伝送システムの具体例を示すブロック図である。
【図２】図１に示したシステムの具体的な回路ブロック図である。
【図３】聴講者の手元にある受信器の具体的な構成を示す説明図である。
【図４】聴講者の手元にある受信器の具体的な回路ブロック図である。
【符号の説明】
１０  ラジエータコントローラ
１１  マイク
１２  マイクアンプ
１３  通訳音源
１６  ＡＶセレクタ
１７  ビデオカメラ
１８  ＤＶＤ
１９  ＶＴＲ
２０  ＲＧＢ変換器
２１  パーソナルコンピュータ
２２  プロジェクタ
２５  ラジエータ
３０  アンケート受信機
３１  アンケート収集装置
３５  マイク受信機
３６  マイク受信復調装置
３７  スピーカ
４０  赤外線送受信器
４１  発光器
４２  受光器
４３  スタンダードバッテリ
４４、４５  追加バッテリ
５２  マイク
５３  テンキー
６４  モニタディスプレイ
６５  レシーバ
【図１】
2004312214.tif 000003
【図２】
2004312214.tif 000004
【図３】
2004312214.tif 000005
【図４】
2004312214.tif 000006